(57)【要約】【課題】患者の手の形を変えるとともにその手の形を保持することによって手技を円滑にすることができる医療器具を提供する。【解決手段】医療器具１００は、患者の手指に装着される装着部１１０と、装着部よりも患者の手首側で装着され、かつ、装着部に対して相対的に接近離間可能な保持部１２０と、保持部の位置を固定するための固定部１３１、１４１と、装着部が装着された装着位置と保持部が保持された保持位置との間の距離に基づいて、患者の手指を患者の手首に対して接近または離間させるように装着部と保持部とを接続する接続部材１６０と、を有する。【選択図】図１
2019154702.tif 000002
【特許請求の範囲】
【請求項１】
患者の手指に装着される装着部と、
前記装着部よりも前記患者の手首側に装着され、かつ、前記装着部に対して相対的に接近離間可能な保持部と、
前記保持部の位置を固定するための固定部と、
前記装着部が装着された装着位置と前記保持部が保持された保持位置との間の距離に基づいて、前記患者の手指を前記患者の手首に対して接近または離間させるように前記装着部と前記保持部とを接続する接続部と、を有する医療器具。
【請求項２】
前記手の甲を覆うように配置される被覆部をさらに有し、
前記被覆部は、前記手の甲に形成された穿刺部位に配置される孔部を有する、請求項１に記載の医療器具。
【請求項３】
前記接続部は、線状部材で構成されている、請求項１または請求項２に記載の医療器具。
【請求項４】
前記接続部は、前記手の甲側に配置されて、前記装着部が前記保持部から相対的に離間するのに伴って前記患者の手を前記手の甲側から前記患者の手首に接近させる甲側接続部材を有し、
前記保持部は、前記甲側接続部材と接続された甲側保持部材を有する、請求項１〜３のいずれか１項に記載の医療器具。
【請求項５】
前記接続部は、前記手の掌側に配置されて、前記装着部が前記保持部から相対的に離間するのに伴って前記患者の手を前記掌側から前記患者の手首に接近させる掌側接続部材を有し、
前記保持部は、前記掌側接続部材と接続された掌側保持部材を有する、請求項１〜４のいずれか１項に記載の医療器具。
【請求項６】
前記患者の身体の一部を覆うように配置されるドレープと一体的に構成されている、請求項１〜５のいずれか１項に記載の医療器具。
【発明の詳細な説明】
【技術分野】
【０００１】
本発明は、医療器具に関する。
【背景技術】
【０００２】
従来から、患者の腕の血管に形成した穿刺部位を介して各種の医療用長尺体を血管内に導入し、病変部位に対する処置や治療を行う手技が知られている（下記特許文献１を参照）。人体の腕を走行する橈骨動脈や尺骨動脈は、手側を迂回する手掌動脈と繋がっている。このため、術者等は、例えば、手を走行する手掌動脈に穿刺部位を形成することにより、腕側を走行している橈骨動脈へ医療用長尺体を挿入することが可能になる。
【先行技術文献】
【特許文献】
【０００３】
【特許文献１】特開２００８−１１９５１７号公報
【発明の概要】
【発明が解決しようとする課題】
【０００４】
上記のように手に穿刺部位を形成する場合、手技を進行する上で、例えば、手の甲側に手が反った状態や手が握られた状態に患者の手の形を変えるとともに、その手の形を所定時間保持することが好ましい場合がある。しかしながら、患者自身に手の形を長時間維持させる場合、患者に掛かる負担の増加を招いてしまう。また、麻酔をかけられた患者は、自らの意志で手の形を変えることや所定の状態を保持することが困難である。
【０００５】
本発明は、上記課題を鑑みてなされたものであり、患者の手の形を変えるとともにその手の形を保持することによって手技を円滑に進めることを可能にする医療器具を提供することを目的とする。
【課題を解決するための手段】
【０００６】
上記目的を達成する医療器具は、患者の手指に装着される装着部と、前記装着部よりも前記患者の手首側で装着され、かつ、前記装着部に対して相対的に接近離間可能な保持部と、前記保持部の位置を固定するための固定部と、前記装着部が装着された装着位置と前記保持部が保持された保持位置との間の距離に基づいて、前記患者の手指を前記患者の手首に対して接近または離間させるように前記装着部と前記保持部とを接続する接続部と、を有する。
【発明の効果】
【０００７】
上記医療器具によれば、術者等は、保持部を移動させる簡単な作業によって、患者の手指を患者の手首に対して接近または離間させるように移動させることができ、かつ、患者の手を移動させた状態（屈曲するように変形させた状態）に維持することができる。これにより、術者は、手技中に患者の手の形を所望の形に変えることによって、手技を円滑に行うことができる。さらに、術者は、手技中に患者が手を動かすことによって医療デバイスがキンク等して破損することを防止できる。
【図面の簡単な説明】
【０００８】
【図１】第１実施形態に係る医療器具を患者の手に装着した状態を手の甲側から見た平面図である。
【図２】第１実施形態に係る医療器具を患者の手に装着した状態を掌側から見た平面図である。
【図３】図３（Ａ）は、第１実施形態に係る医療器具を患者の手に装着した状態を親指側から見た側面図であり、図３（Ｂ）は、患者の手を手の甲側から患者の手首に接近させた状態を示す側面図である。
【図４】図４（Ａ）は、第１実施形態に係る医療器具を患者の手に装着した状態を親指側から見た側面図であり、図４（Ｂ）は、患者の手を掌側から患者の手首に接近させた状態を示す側面図である。
【図５】第２実施形態に係る医療器具を患者の手に装着した状態を示す平面図である。
【発明を実施するための形態】
【０００９】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１０】
＜第１実施形態＞
図１〜図４を参照して、第１実施形態に係る医療器具１００を説明する。図１は、医療器具１００を患者の手Ｈに装着した状態を手の甲Ｈｂ側から見た平面図である。図２は、医療器具１００を患者の手Ｈに装着した状態を掌Ｈｐ側から見た平面図である。図３（Ａ）は、医療器具１００を患者の手Ｈに装着した状態を親指側から見た側面図であり、図３（Ｂ）は、患者の手Ｈを手の甲Ｈｂ側から患者の手首Ａに接近させた状態を示す側面図である。図４（Ａ）は、医療器具１００を患者の手Ｈに装着した状態を親指側から見た側面図であり、図４（Ｂ）は、患者の手Ｈを掌Ｈｐ側から患者の手首Ａに接近させた状態を示す側面図である。
【００１１】
医療器具１００は、図１を参照して、手技中に患者の手Ｈの手掌動脈（深掌動脈）の橈骨動脈Ｔｒ側（例えば、スナッフボックス付近）に形成された穿刺部位ｔ１を介して、医療デバイス２００を橈骨動脈Ｔｒに挿入または留置する際に患者の手Ｈの形を変更や保持するために使用される。なお、穿刺部位ｔ１を形成する位置は、手Ｈを走行する手掌動脈にイントロデューサー等の医療デバイス２００を挿入可能な位置であれば特に限定されない。
【００１２】
図１に示すように、医療器具１００は、患者の手指に装着される装着部１１０を有し、患者の手Ｈ全体を覆う手袋１０１と、装着部１１０よりも患者の手首Ａ側で患者の手首Ａに装着される保持部１２０と、保持部１２０の位置を固定するための固定部１３１、１４１と、装着部１１０と保持部１２０とを接続する接続部材１６０と、を有している。接続部材１６０は、手の甲Ｈｂ側に配置される甲側接続部材１７０（図１を参照）と、掌Ｈｐ側に配置される掌側接続部材１８０（図２を参照）と、を有している。
【００１３】
（手袋１０１）
手袋１０１は、患者の手指に装着される装着部１１０と、手の甲Ｈｂおよび掌Ｈｐを覆うように配置される被覆部１９０と、を有している。装着部１１０および被覆部１９０は、患者の手Ｈの全体を覆うように一体的に構成されている。なお、装着部１１０および被覆部１９０は、別体に構成してもよい。また、手袋１０１が手Ｈを覆う範囲は手全体に限定されることはない。例えば、手袋１０１は、手の甲Ｈｂの一部、掌Ｈｐの一部、任意の指の一部を覆うようにその形状を適宜変更することが可能である。
【００１４】
被覆部１９０は、手の甲Ｈｂに形成された穿刺部位ｔ１に配置される孔部１９１を有している。術者は、孔部１９１を介して穿刺部位ｔ１に対してイントロデューサー等の医療デバイス２００を挿入することができる。
【００１５】
（保持部１２０および固定部１３１、１４１）
保持部１２０は、甲側接続部材１７０と接続された甲側保持部材１３０と、掌側接続部材１８０と接続された掌側保持部材１４０と、を有している。
【００１６】
甲側保持部材１３０および掌側保持部材１４０は、可撓性を備える帯状の部材により構成している。甲側保持部材１３０および掌側保持部材１４０は、患者の手首Ａに対して相対的に移動可能な状態で、患者の手首Ａの外周を略一周するように巻き付けられる。甲側保持部材１３０および掌側保持部材１４０は、装着部１１０よりも患者の手首Ａ側に装着される。図１に示すように本実施形態では、掌側保持部材１４０は、甲側保持部材１３０よりも患者の中枢側（図１の下側）で装着されている。これは、後述するように、掌側保持部材１４０の方をより中枢側に移動させて手Ｈの形状を所望の形状に維持した状態で固定することがあるためである。
【００１７】
甲側保持部材１３０および掌側保持部材１４０は、患者の手首Ａに対して相対的に移動することによって、装着部１１０に対して相対的に接近離間可能に構成されている。また、甲側保持部材１３０および掌側保持部材１４０は、例えば、患者の手首Ａの所定の位置でその状態を保持できる程度に、手Ｈの体表面と手Ｈの体表面に向かい合う側の面（装着面）との間に摩擦力を備えるように構成することができる。
【００１８】
固定部１３１は、患者の手首Ａに対して甲側保持部材１３０の位置を固定する。固定部１４１は、患者の手首Ａに対して掌側保持部材１４０の位置を固定する。各固定部１３１、１４１は、例えば、固定位置を調整可能な面ファスナーによって構成することができる。各固定部１３１、１４１は、保持部１２０の両端部に配置され、両端部を接合することにより、甲側保持部材１３０および掌側保持部材１４０を円環状に固定する。
【００１９】
なお、各固定部１３１、１４１は、保持部１２０を手Ｈに巻き付けた状態で固定することが可能な構成を有するものであれば特に限定されず、例えば、スナップ、ボタン、クリップ、または保持部１２０の端部を通す枠部材等であってもよい。
【００２０】
保持部１２０の構成材料は、可撓性を備える材料であれば特に限定されない。そのような材料としては、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミド、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。また、保持部１２０の内表面には、シリコーンゴム等のような装着面との間に高い摩擦力を提供する材料が備えられることが望ましい。
【００２１】
（接続部材１６０）
接続部材１６０は、装着部１１０が装着された装着位置と保持部１２０が保持された保持位置との間の距離に基づいて、患者の手Ｈを患者の手首Ａに対して接近または離間させるように装着部１１０と保持部１２０とを接続する。
【００２２】
接続部材１６０は、複数の線状部材１７１ａ〜１７１ｄおよび複数の線状部材１８１ａ〜１８１ｄにより構成している。後述するように各線状部材１７１ａ〜１７１ｄおよび各線状部材１８１ａ〜１８１ｄは、張力を発生させて患者の手指Ｆ１〜Ｆ４を患者の手首Ａに対して接近または離間させるように移動させる屈曲機構としての機能を備える。なお、各線状部材１７１ａ〜１７１ｄおよび各線状部材１８１ａ〜１８１ｄは、比較的細い径の部材で形成することが好ましい。これにより、接続部材１６０を各手指Ｆ１〜Ｆ４に個別に配置した場合においても、各線状部材１７１ａ〜１７１ｄおよび各線状部材１８１ａ〜１８１ｄ同士が互いに干渉するのを防止することができる。
【００２３】
図１に示すように、甲側接続部材１７０は、装着部１１０の小指Ｆ１の先端に対応する部分と甲側保持部材１３０とを接続する第１線状部材１７１ａと、装着部１１０の薬指Ｆ２の先端に対応する部分と甲側保持部材１３０とを接続する第２線状部材１７１ｂと、装着部１１０の中指Ｆ３の先端に対応する部分と甲側保持部材１３０とを接続する第３線状部材１７１ｃと、装着部１１０の人差し指Ｆ４の先端に対応する部分と甲側保持部材１３０とを接続する第４線状部材１７１ｄと、を有している。
【００２４】
図２に示すように、掌側接続部材１８０は、装着部１１０の小指Ｆ１の先端に対応する部分と掌側保持部材１４０とを接続する第１線状部材１８１ａと、装着部１１０の薬指Ｆ２の先端に対応する部分と掌側保持部材１４０とを接続する第２線状部材１８１ｂと、装着部１１０の中指Ｆ３の先端に対応する部分と掌側保持部材１４０とを接続する第３線状部材１８１ｃと、装着部１１０の人差し指Ｆ４の先端に対応する部分と掌側保持部材１４０とを接続する第４線状部材１８１ｄと、を有している。
【００２５】
図１および図２に示すように、接続部材１６０は、装着部１１０の手指Ｆ１〜Ｆ４の先端に対応する部分と各線状部材１７１ａ〜１７１ｄおよび各線状部材１８１ａ〜１８１ｄを連結する指先側連結部１６１と、甲側保持部材１３０および各線状部材１７１ａ〜１７１ｄを連結する手首側連結部１６２と、掌側保持部材１４０および各線状部材１８１ａ〜１８１ｄを連結する手首側連結部１６３と、を有している。本明細書では、指先側連結部１６１が配置された位置を「装着部１１０が装着された装着位置」と定義する。また、手首側連結部１６２、１６３が配置された位置を「保持部１２０が保持された保持位置」と定義する。
【００２６】
装着位置と保持位置との間の距離は、各線状部材１７１ａ〜１７１ｄおよび各線状部材１８１ａ〜１８１ｄの長さに基づいて定められる。医療器具１００は、装着位置と保持位置との間の距離を略一定に保つことによって、患者の手指Ｆ１〜Ｆ４を患者の手首Ａに対して接近または離間させるように移動させる。
【００２７】
各線状部材１７１ａ〜１７１ｄおよび各線状部材１８１ａ〜１８１ｄの構成材料としては、例えば、繊維からなる糸や金属線材等が挙げられる。装着位置と保持位置との間の距離を略一定に保つ観点から、各線状部材１７１ａ〜１７１ｄおよび各線状部材１８１ａ〜１８１ｄは、手指Ｆ１〜Ｆ４を手首Ａ側に牽引する際の張力によって長さが変わらない程度の高い剛性を備える材料を選択することが好ましい。
【００２８】
指先側連結部１６１および手首側連結部１６２、１６３は、接着剤等の接合部材で構成することができる。接合部材の種類や量は、装着部１１０、保持部１２０および各線状部材１７１ａ〜１７１ｄおよび各線状部材１８１ａ〜１８１ｄの材料や形状に合わせて適宜選択することが好ましい。
【００２９】
図３（Ａ）および図３（Ｂ）に示すように、術者等が甲側保持部材１３０を装着部１１０から相対的に離間させると、甲側接続部材１７０は、装着部１１０を患者の手首Ａ側に接近させる方向に張力Ｔ１を発生させる。このとき、甲側接続部材１７０は、張力Ｔ１によって、患者の手指Ｆ１〜Ｆ４を患者の手首Ａ側に接近させる。これにより、患者の手指Ｆ１〜Ｆ４を手の甲Ｈｂ側に反った状態にすることができる。
【００３０】
また、図３（Ｂ）に示すように患者の手指Ｆ１〜Ｆ４を手の甲Ｈｂ側に反った状態にすることで、患者が手技中に手Ｈを曲げることに伴ってイントロデューサー等の医療デバイス２００がキンク等して破損することを防止できる。
【００３１】
図４（Ａ）および図４（Ｂ）に示すように、術者等が掌側保持部材１４０を装着部１１０から相対的に離間させると、掌側接続部材１８０は、装着部１１０を患者の手首Ａ側に接近させる方向に張力Ｔ２を発生させる。掌側接続部材１８０は、張力Ｔ２によって、患者の手指Ｆ１〜Ｆ４を掌Ｈｐ側から手首Ａ側に接近させる。これにより、患者の手指Ｆ１〜Ｆ４を掌Ｈｐ側に曲げた状態にすることができる。
【００３２】
また、図４（Ｂ）に示すように患者の手指Ｆ１〜Ｆ４を掌Ｈｐ側に曲げた状態にすることで、橈骨動脈Ｔｒを手Ｈの甲Ｈｂ側に浮き立たせることができる。これにより、術者は穿刺部位ｔ１を容易に認識することができるため、医療デバイス２００を導入するための穿刺針（図示せず）を橈骨動脈Ｔｒに円滑に穿刺することが可能になる。具体的には、掌Ｈｐ側と甲Ｈｂ側の各線状部材１７１ａ〜１７１ｄ、１８１ａ〜１８１ｄを引っ張ることで調整し、図４（Ｂ）の状態を維持することが可能である。また、図４（Ａ）の状態を維持するような板バネを手袋１０１内に配置することで、図４（Ｂ）の状態を維持することも可能である。また、術者等は、患者の手指Ｆ１〜Ｆ４を掌Ｈｐ側に曲げた状態にすることで、蛇行した橈骨動脈Ｔｒをほぼ真っ直ぐにすることができる。これにより、術者等は、医療デバイス２００のシースチューブ等を橈骨動脈Ｔｒに容易に導入することができる。さらに、術者等は、医療デバイス２００を介してガイドワイヤや治療デバイス等を所望の病変部位まで円滑に送達することができる。
【００３３】
なお、患者の手Ｈが半握りの状態を維持できるようにするために、例えば、甲側接続部材１７０により手の甲Ｈｂ側および掌側接続部材１８０により掌Ｈｐ側で引っ張って釣り合わせつつ固定をしたり、板バネ等を被覆部１９０に入れて外力が付与されていない状態では手Ｈが常時反った状態（図４（Ａ）に示す状態）になるように医療器具１００を構成したりしてもよい。
【００３４】
また、保持部１２０は、図３（Ａ）の手Ｈを開いた状態、図３（Ｂ）の手指Ｆ１〜Ｆ４を手の甲Ｈｂ側に反った状態、図４（Ｂ）手指Ｆ１〜Ｆ４を掌Ｈｐ側に曲げた状態等に患者の手Ｈの形を保持することができる。これにより、患者自身により手Ｈの形状を保持するように手Ｈを動作させる必要がなくなる。手技中に患者が手Ｈを不用意に動かすことによってイントロデューサー等の医療デバイス２００がキンク等して破損することを防止できる。
【００３５】
本実施形態に係る処置方法の作用効果を説明する。
【００３６】
本実施形態に係る医療器具１００は、患者の手指Ｆ１〜Ｆ４に装着される装着部１１０と、装着部１１０よりも患者の手首Ａ側で装着され、かつ、装着部１１０に対して相対的に接近離間可能な保持部１２０と、保持部１２０の位置を固定するための固定部１３１、１４１と、装着部１１０が装着された装着位置と保持部１２０が保持された保持位置との間の距離に基づいて、患者の手指Ｆ１〜Ｆ４を患者の手首Ａに対して接近または離間させるように装着部１１０と保持部１２０とを接続する接続部材１６０と、を有する。
【００３７】
上記の医療器具１００によれば、術者等は、保持部１２０を移動させる簡単な作業によって患者の手指Ｆ１〜Ｆ４を患者の手首Ａに対して接近または離間させるように移動させることができ、かつ、固定部１３１、１４１により患者の手Ｈを移動させた状態に維持することができる。これにより、術者等は、手技中に患者の手Ｈの形を所望の形に変えることによって、手技を円滑に行うことができる。さらに、術者等は、手技中に患者が手Ｈを不用意に動かすことによって医療デバイス２００がキンク等して破損することを防止できる。
【００３８】
また、医療器具１００は、手の甲Ｈｂを覆うように配置される被覆部１９０を有する。被覆部１９０は、手の甲Ｈｂに形成された穿刺部位ｔ１に配置される孔部１９１を有する。術者は、孔部１９１を介して穿刺部位ｔ１に対して医療デバイス２００を容易に挿入することができる。
【００３９】
また、接続部材１６０は、線状部材１７１ａ〜１７１ｄ、１８１ａ〜１８１ｄで構成されているため、線状部材１７１ａ〜１７１ｄ、１８１ａ〜１８１ｄの張力を利用して患者の手Ｈを患者の手首Ａに対して接近または離間させるように移動させることができる。
【００４０】
また、接続部材１６０は、手の甲Ｈｂ側に配置されて、装着部１１０が保持部１２０から相対的に離間するのに伴って患者の手を手の甲Ｈｂ側から患者の手首に接近させる甲側接続部材１７０を有する。保持部１２０は、甲側接続部材１７０と接続された甲側保持部材１３０を有する。上記構成によれば、患者の手指Ｆ１〜Ｆ４を手の甲Ｈｂ側に反った状態に保持することができる。これによって、患者が手技中に手Ｈを曲げることに伴ってイントロデューサー等の医療デバイス２００がキンク等して破損することを防止できる。
【００４１】
また、接続部材１６０は、掌Ｈｐ側に配置されて、装着部１１０が保持部１２０から相対的に離間するのに伴って患者の手を掌Ｈｐ側から患者の手首Ａに接近させる掌側接続部材１８０を有する。保持部１２０は、掌側接続部材１８０と接続された掌側保持部材１４０を有する。上記構成によれば、患者の手指Ｆ１〜Ｆ４を掌Ｈｐ側に曲げた状態に保持することができる。これによって、橈骨動脈Ｔｒを手Ｈの甲Ｈｂ側に浮き立たせることができるため、術者等は穿刺部位ｔ１を容易に認識することができる。その結果、医療デバイス２００を導入するための穿刺針等を橈骨動脈Ｔｒに穿刺する作業を容易に行うことが可能になる。また、術者等は、患者の手指Ｆ１〜Ｆ４を掌Ｈｐ側に曲げた状態にすることで、蛇行した橈骨動脈Ｔｒをほぼ真っ直ぐにすることができる。これにより、術者等は、医療デバイス２００のシースチューブ等を橈骨動脈Ｔｒに容易に導入することができる。さらに、術者等は、医療デバイス２００を介してガイドワイヤや治療デバイス等を所望の病変部位まで円滑に送達することができる。
【００４２】
＜第２実施形態＞
次に、本発明の第２実施形態に係る医療器具３００を説明する。なお、第２実施形態において特に言及しない構成や部材については、前述した第１実施形態と同様のものとすることができ、その説明を省略する。
【００４３】
図５は、第２実施形態に係る医療器具３００を患者の手Ｈに装着した状態を示す平面図である。
【００４４】
第２実施形態に係る医療器具３００は、前述した第１実施形態において説明した医療器具１００と同様の構成を有する左手用の第１医療器具３００Ａおよび右手用の第２医療器具３００Ｂが患者の身体の一部を覆うように配置されるドレープ３００Ｃと一体的に構成されている。
【００４５】
第１医療器具３００Ａは、前述した医療器具１００と実質的に同一のため説明を省略する。第２医療器具３００Ｂは、右手用に形成されている以外は前述した医療器具１００と実質的に同様である。
【００４６】
医療器具３００は、第１医療器具３００Ａの手袋および第２医療器具３００Ｂの手袋をドレープ３００Ｃと接続するとともに、患者の腕が挿入される腕用被覆部３１０を有している。これにより、第１医療器具３００Ａおよび第２医療器具３００Ｂは、ドレープ３００Ｃと一体的に構成されている。
【００４７】
本実施形態に係る医療器具３００は、患者の身体の一部を覆うように配置されるドレープ３００Ｃと一体的に構成されている。このため、患者に対してドレープ３００Ｃをかける際に同時に、第１医療器具３００Ａおよび第２医療器具３００Ｂを装着させることができる。これにより、短時間で簡単に手技の準備を行うことができる。
【００４８】
以上、複数の実施形態を通じて本発明に係る医療器具を説明したが、本発明は説明した各構成のみに限定されるものでなく、特許請求の範囲の記載に基づいて適宜変更することが可能である。
【００４９】
例えば、各実施形態では、接続部は、線状部材で構成される例を説明したが、装着部と保持部とを接続可能な限りにおいてこれに限定されず、例えば、帯状の布によって構成されてもよい。
【００５０】
また、各実施形態では、接続部は、各手指のそれぞれに個別に接続される例を説明したが、これに限定されず、例えば、複数の手指にまとめて接続されてもよい。
【００５１】
また、上記医療器具が装着される手は、患者の左右の手のうち、どちらの手でもよい。
【００５２】
また、各実施形態において説明した医療器具は一例に過ぎず、医療器具を構成する各部は、同様の機能を発揮し得る任意の構成のものと置き換えることができる。また、医療器具は、明細書内において特に説明のなかった任意の構成物（部材）等が適宜付加されてもよい。
【符号の説明】
【００５３】
１００  医療器具、
１０１  手袋、
１１０  装着部、
１２０  保持部、
１３０  甲側保持部材、
１３１  固定部、
１４０  掌側保持部材、
１４１  固定部、
１６０  接続部材、
１７０  甲側接続部材、
１７１ａ〜１７１ｄ  第１〜第４線状部材（線状部材）、
１６１  指先側連結部、
１６２  手首側連結部、
１６３  手首側連結部、
１８０  掌側接続部材、
１８１ａ〜１８１ｄ  第１〜第４線状部材（線状部材）、
１９０  被覆部、
１９１  孔部、
２００  医療デバイス、
３００  医療器具、
３００Ａ  第１医療器具、
３００Ｂ  第２医療器具、
３００Ｃ  ドレープ、
３１０  腕用被覆部、
Ｆ１〜Ｆ４  指、
Ａ  手首、
Ｈ  手、
Ｈｂ  手の甲、
Ｈｐ  掌、
Ｔｒ  遠位橈骨動脈、
ｔ１  穿刺部。
【図１】
2019154702.tif 000003
【図２】
2019154702.tif 000004
【図３】
2019154702.tif 000005
【図４】
2019154702.tif 000006
【図５】
2019154702.tif 000007